(57)【要約】【課題】本来一人ではエレベーター利用が困難な高齢者、子供、車椅子利用者などのエレベーター利用者や、多数の利用者を特定階へ移動させる場合のエレベーター利用の負担を低減し、安全かつ安心して行先階へ移動を行うことを目的とする。【解決手段】認証装置と行先階登録装置、通話機器、かご内状況を確認できる表示装置が設けられたエレベーター乗場操作装置が備えられ、当該乗場操作装置によって、エレベーター乗場とエレベーターかご内の利用者との通話が可能で、かご内の監視カメラからの映像を表示機器で見ることができ、当該乗場操作装置により専有的にエレベーターの運転操作を行うエレベーターとその運転操作装置であり、利用者がエレベーターかごの操作を行わなくともエレベーターによる移動が可能なエレベーターとその運転操作装置である。【選択図】  図１
2014148418.tif 000002
【特許請求の範囲】
【請求項１】
昇降路内を昇降するエレベーターかごと、当該エレベーターかごを上昇、下降させる駆動装置と、当該駆動装置を制御する制御装置と、当該制御装置に対して乗場呼び登録とかご呼び登録を行う各階床に設けられた乗場呼び登録装置とエレベーターかごに設けられたかご呼び登録装置とからなる呼び登録装置を備えるエレベーターにおいて、
前記エレベーターかご内に設けられた監視カメラと通話装置と、
乗場において操作者がエレベーターの運転操作を専有して行うことができる乗場操作装置とが備えられており、当該乗場操作装置は、
操作者による操作を許可し、当該乗場操作装置を作動可能とする認証装置と、
行先階登録部とエレベータードアの開閉指示部と、
エレベーターかご内の前記通話装置との間で通話ができる通話機器と、
エレベーターかご内の前記監視カメラからの映像を表示して、エレベーターかご内の状況を確認できる表示装置とを有し、
前記エレベーターの制御装置との間で情報データや信号のやり取りを行い、エレベーターの乗場呼び登録と行先階登録とドアの開閉を、エレベーターかごの運転操作中は専有して行う乗場操作装置であることを特徴とするエレベーター。
【請求項２】
請求項１において、前記エレベーターの制御装置は、前記乗場操作装置により乗場呼びされたエレベーターかごの運転操作中は、当該乗場呼びされたエレベーターかごを前記各階に設けられた乗場呼び登録装置により呼び登録されない制御を行うことを特徴とするエレベーター。
【請求項３】
請求項１または２において、前記エレベーターの制御装置は、前記乗場操作装置により乗場呼びされたエレベーターかごの運転操作中は、当該乗場呼びされたエレベーターかご内の行先階登録装置により行先階登録されない制御を行うことを特徴とするエレベーター。
【請求項４】
請求項１から３のいずれかにおいて、前記エレベーターの制御装置は、前記乗場操作装置により乗場呼びされたエレベーターかごの行先階登録が、前記乗場操作装置により登録されないと、前記エレベータードアの開閉操作部によりドアを閉じる操作ができないことを特徴とするエレベーター。
【請求項５】
請求項１から４のいずれかにおいて、前記乗場操作装置は、小型カメラを内蔵し、エレベーターかご内には、かご内表示装置が設けられ、前記小型カメラの撮影した映像は前記かご内表示装置に表示されることを特徴とするエレベーター。
【請求項６】
請求項１から５のいずれかにおいて、前記乗場操作装置は、乗場の壁に固定された固定乗場操作装置であることを特徴とするエレベーター。
【請求項７】
請求項１から５のいずれかにおいて、前記乗場操作装置は、携帯可能なハンディー端末の乗場操作装置であることを特徴とするエレベーター。
【請求項８】
昇降路内を昇降するエレベーターかごと、当該エレベーターかごを上昇、下降させる駆動装置と、当該駆動装置を制御する制御装置と、当該制御装置に対して乗場呼び登録とかご呼び登録を行う呼び登録装置を備えるエレベーターの乗場操作装置において、
当該乗場操作装置は、
操作者による操作を許可し、当該乗場操作装置を作動可能とする認証装置と、
行先階登録部とエレベータードアの開閉指示部と、
エレベーターかご内の通話装置との間で通話ができる通話機器と、
エレベーターかご内の監視カメラからの映像を表示して、エレベーターかご内の状況を確認できる表示装置とを有し、
前記エレベーターの制御装置との間で情報データや信号のやり取りを行い、エレベーターの乗場呼び登録と行先階登録とドアの開閉を、エレベーターかごの運転操作中は専有して行うことを特徴とするエレベーターの乗場操作装置。
【請求項９】
請求項８において、前記乗場操作装置により乗場呼びされたエレベーターかごの運転操作中は、当該乗場呼びされたエレベーターかごを各階床に設けられた乗場呼び登録装置により乗場呼び登録をできないことを特徴とするエレベーターの乗場操作装置。
【請求項１０】
請求項８または９において、乗場操作装置により乗場呼びされたエレベーターかごの運転操作中は、当該乗場呼びされたエレベーターかご内の行先階登録装置により行先階登録をできないことを特徴とするエレベーターの乗場操作装置。
【請求項１１】
請求項８から１０のいずれかにおいて、前記乗場操作装置により乗場呼びされたエレベーターかごの行先階登録が、前記乗場操作装置により登録されないと、前記エレベータードアの開閉操作部によりドアを閉じる操作ができないことを特徴とするエレベーターの乗場操作装置。
【請求項１２】
請求項８から１１のいずれかにおいて、前記乗場操作装置は、小型カメラを内蔵し、エレベーターかごのかご内表示装置に、前記小型カメラの撮影した映像が表示されることを特徴とするエレベーターの乗場操作装置。
【請求項１３】
請求項８から１２のいずれかにおいて、前記乗場操作装置は、乗場の壁に固定された固定乗場操作装置であることを特徴とするエレベーターの乗場操作装置。
【請求項１４】
請求項８から１２のいずれかにおいて、前記乗場操作装置は、携帯可能なハンディー端末の乗場操作装置であることを特徴とするエレベーターの乗場操作装置。
【発明の詳細な説明】
【技術分野】
【０００１】
本発明はエレベーター、特にエレベーター乗場にてエレベーターを運転操作することが可能な乗場操作装置を備えたエレベーターとその乗場操作装置に関する。
【背景技術】
【０００２】
従来、通常のエレベーターでは、エレベーター乗り場に乗場呼び登録装置が設置されて上方向呼び登録ボタンと下方向呼び登録ボタンが設けられている。又、エレベーターかご内のかご呼び登録装置（又は行先階登録装置とも言う）の操作盤には、行先階登録ボタン、ドアの開閉ボタン、非常時の連絡ボタンとマイク兼スピーカーなどが備えられている。エレベーター利用者は、エレベーター乗り場で乗場呼び登録装置によりエレベーターの乗場呼び登録を行い、エレベーターかご内では、行先階登録ボタンを操作してかご呼び登録（又は行先階登録とも言う）を行っている。
【０００３】
特定人物に対するエレベーターの利用および運転を円滑かつ優先的に行うために、下記の特許文献１では、エレベーター利用におけるセキュリティを向上し得るエレベーター制御装置を開示している。特許文献１に開示された装置では、所定の行先階情報をカードへ登録しておき、エレベーター利用者がエレベーター乗場において行先階登録を行うために、エレベーター乗場でカードの情報を読み取り装置にかざすことにより、エレベーター利用者は行先登録を行い、目的の行先階まで行くことができる。この様な行先階登録装置によれば、セキュリティの向上とともに、従来のようにエレベーター乗場にＶＩＰ専用乗場呼び登録ボタン等を必要としないため経済的である。
【０００４】
又、下記の特許文献２では、乗降客を識別することにより個々の人が必要なサービスを受けることができ、しかも効率的な運転を行なうことが可能なエレベーターの戸の運転方法を提供することが開示されている。特許文献２に開示された方法では、エレベーターの乗り場付近もしくはかご内にいる特定者が保有する発信器からの信号を受信し、前記特定者によるエレベーターの利用を検出する第１のステップと、前記第１のステップで前記特定者によるエレベーター利用を検出することによりエレベーターの戸の運転制御をその特定者に適した運転制御に切替える第２のステップとを備えたエレベーターの戸の運転方法である。この方法によれば、特定者に識別カードを渡しておくだけで、公然とあるいはそれと気づくことなしにエレベーターの戸の運転サービスを得ることができる。
【先行技術文献】
【特許文献】
【０００５】
【特許文献１】特開平３−２７２９７７号公報
【特許文献２】特開平２−２５５４８７号公報
【発明の概要】
【発明が解決しようとする課題】
【０００６】
しかし、特許文献１と特許文献２に開示されたエレベーターでは、特定のエレベーター利用者にとって円滑なサービスを提供することができるが、どちらの特許文献に記載された発明でも、下記のような問題点がある。
【０００７】
エレベーター利用者が高齢者、子供、車椅子利用者などのエレベーター操作が一人では困難な者の場合、エレベーター利用者を特定階まで移動させるために、移動を補助する者もしくは指示する者(操作者)は、利用者と一緒に乗り込み、行先階まで同乗して操作及び案内をしなければならなかった。例えば、高齢者施設などでは、呼び登録装置へ寄り掛かったりして意図せず誤操作が生じたり、車椅子利用者の移動にエレベーターが使われることが多くあるため、操作者がエレベーターかごへ同乗しなければならなかった。
【０００８】
特許文献１と特許文献２に開示されたエレベーターの様に、エレベーター利用者がエレベーター乗場でカードの情報を読み取る装置にかざして行先登録を行い、目的の行先階まで行くことや、特定者に信号を発信する識別カードを持たせる方法であっても、安全にエレベーター利用者を目的階まで移動させるためには、同乗者による見守りが必要であり、又、乗場呼びボタンや行先階登録ボタン、非常呼び出しボタンの誤操作の恐れが残っている。
【０００９】
また、多数の利用者を特定階まで移動させる場面において、誤って目的階と異なる階床のボタンを押すことや、いたずらが発生する可能性があった。そこで、多数のエレベーター利用客を特定階まで移動させる際には、移動を補助する者もしくは指示する者(操作者)が、エレベーター利用者と一緒にエレベーターかごに乗り込み、エレベーターかご内の操作盤にて行先階を登録し、行先階まで同乗して操作及び案内をしなければならなかった。例えば、イベント会場へ参加者を案内する際に、イベント会場のある特定階への移動にエレベーターが使われることがあり、操作者がエレベーターかごへ同乗して案内する場合があった。この様な場合は、特許文献１と特許文献２に開示されたエレベーターの様に、エレベーター利用者がエレベーター乗場でカードの情報を読み取る装置にかざして行先登録を行い、目的の行先階まで行くことや、特定者に信号を発信する識別カードを持たせる方法では対応できない。
【００１０】
本発明の目的は、従来技術の問題点を改善し、操作者がエレベーターに同乗しなくともエレベーターかごの運転操作を行うことができるようにして、操作者の負担の低減をするとともに、エレベーター利用者の安全を確保して、利用者が安心してエレベーターを利用出来るエレベーターとその乗場操作装置を提供することにある。
【課題を解決するための手段】
【００１１】
本発明を複数の観点から把握することができるが、代表的な本発明のエレベーターおよびその乗場操作装置は、以下の通りである。また、その他の観点から捉えた本発明のエレベーターとその乗場操作装置は、以下に述べる発明を実施する形態の説明等でさらに明らかになる。
【００１２】
すなわち、本発明のエレベーターは、昇降路内を昇降するエレベーターかごと、当該エレベーターかごを上昇、下降させる駆動装置と、当該駆動装置を制御する制御装置と、当該制御装置に対して乗場呼び登録とかご呼び登録を行う各階床に設けられた乗場呼び登録装置とエレベーターかごに設けられたかご呼び登録装置とからなる呼び登録装置を備えるエレベーターにおいて、
前記エレベーターかご内に設けられた監視カメラと通話装置と、
乗場において操作者がエレベーターの運転操作を専有して行うことができる乗場操作装置とが備えられており、当該乗場操作装置は、
操作者による操作を許可し、当該乗場操作装置を作動可能とする認証装置と、
行先階登録部とエレベータードアの開閉指示部と、
エレベーターかご内の前記通話装置との間で通話ができる通話機器と、
エレベーターかご内の前記監視カメラからの映像を表示して、エレベーターかご内の状況を確認できる表示装置とを有し、
前記エレベーターの制御装置との間で情報データや信号のやり取りを行い、エレベーターの乗場呼び登録と行先階登録とドアの開閉を、エレベーターかごの運転操作中は専有して行う乗場操作装置であることを特徴とするエレベーターである。
【００１３】
また、本発明のエレベーターの乗場操作装置は、昇降路内を昇降するエレベーターかごと、当該エレベーターかごを上昇、下降させる駆動装置と、当該駆動装置を制御する制御装置と、当該制御装置に対して乗場呼び登録とかご呼び登録を行う呼び登録装置を備えるエレベーターの乗場操作装置において、
当該乗場操作装置は、
操作者による操作を許可し、当該乗場操作装置を作動可能とする認証装置と、
行先階登録部とエレベータードアの開閉指示部と、
エレベーターかご内の通話装置との間で通話ができる通話機器と、
エレベーターかご内の監視カメラからの映像を表示して、エレベーターかご内の状況を確認できる表示装置とを有し、
前記エレベーターの制御装置との間で情報データや信号のやり取りを行い、エレベーターの乗場呼び登録と行先階登録とドアの開閉を、エレベーターかごの運転操作中は専有して行うことを特徴とするエレベーターの乗場操作装置である。
【発明の効果】
【００１４】
本発明によれば、操作者がエレベーターに同乗してもしなくとも、本来一人ではエレベーター利用が困難な者を、行先階まで移動させることができ、行先階の誤登録防止や乗り合わせによる混乱をふせぐことや、一人で乗ることによる不安を解消させることができる。又、多数のエレベーター利用者を行先階まで移動させる場面においては、もし操作者が同乗していたとしても、誤って目的階と異なる階床ボタンを押すことや、いたずらが発生する可能性があったが、エレベーターかご内の操作盤に対する操作機能を制限することで、行先階まで円滑に多数のエレベーター利用者の移動を行うことが出来る。この場合においても、操作者はエレベーター利用者の移動に同乗してもしなくとも、エレベーター利用者が操作を行う必要はなく、円滑に行先階に移動することができる。
【図面の簡単な説明】
【００１５】
【図１】本発明の実施例に係わるエレベーターの全体説明図である。
【図２】本発明の実施例に係わるエレベーターの乗場操作装置の操作面の一例を示す平面図である。
【図３】本発明の実施例に係わるエレベーターの乗場操作装置の操作フローの一例を示す図である。
【発明を実施するための形態】
【００１６】
以下、本発明の実施の形態について説明する。以下の説明は本発明の内容の実施の形態を示すものであり、本発明がこれらの実施の形態に限定されるものではなく、本明細書に開示される技術的思想の範囲内において当業者による様々な変更および修正が可能である。
【００１７】
本発明のエレベーターとその乗場操作装置では、乗場においてエレベーターの運転操作をすることができる乗場操作装置を備えている。当該乗場操作装置は、操作を許可するIDカードもしくはキー照合などによる認証装置により作動され、この認証の完了により、又は、乗場呼び登録ボタンが設けられればその操作により、エレベーターの乗場呼び登録が行われる。又、操作者の操作によってエレベーターの行先階登録を行う。操作者は、エレベーター利用者が搭乗したのを確認し、エレベーターかご外の乗場から乗場操作装置によりエレベーターのドアを閉めることができる。エレベーターかご内にはカメラが設置され、その映像は乗場操作装置の表示装置に表示されて、操作者が利用者の様子を見守って監視することができる。
【００１８】
乗場操作装置によるこの運転操作機能は、エレベーターの乗場呼び登録が行われ、エレベーターかごが乗場呼び登録された階床に到着してドアが開き、利用者がエレベーターかごに乗車してドアが閉まり、エレベーターかごが行先階に到着してドアが開き、エレベーター利用者が降車してエレベーターかごのドアが閉まるまで、専有的にエレベーターの操作を行う機能である。したがって、乗場操作装置により呼び登録されたエレベーターかごの運転中は、他の階床の乗場呼びやエレベーターかご内での行先階登録には応答しない様にして、他の利用者の乗り合わせや、エレベーターかご内の利用者の誤操作等による混乱を避けることができ、安全性を高めることができる。
【００１９】
エレベーターかご内に搭乗した利用者は、行先階登録装置の行先階登録ボタンの操作をできないが(いたずら・誤動作防止)、操作者とエレベーター利用者は、運転操作装置での操作を必要とする様に構成されても必要とされてなくとも、いつでも通信機器を利用して会話ができ、あるいは表示機器を介して顔を見ることができ、操作者が同乗せずとも安心して行先階までエレベーター利用者を移動させることができることを特徴とするものである。
【００２０】
ここで述べるエレベーター利用者とは、高齢者、子供、障がい者などのエレベーター利用が一人では困難な者もしくは、多数の利用客をいい、操作者とは利用者を補助する者もしくは、移動を指示する者を指している。
【００２１】
以下、図面を用いて、本発明の実施例について説明する。以下の実施例を説明するための全図において、同一の機能を有するものは、同一の符号を付け、その繰り返しの説明は省略することがある。
【００２２】
（実施例１）
図１は本発明の実施例に係わるエレベーターの全体説明図である。
図１においては、エレベーター乗場１０１と、エレベーター乗場にいる操作者１と、乗場操作装置２と、エレベーターかご１０３と、エレベーターかご１０３内の利用者３と、監視カメラ４と、エレベーターかご内の通話装置５と、巻上機によって駆動されてエレベーターかご１０３をけん引する主ロープ１０２と、エレベーターの制御装置１０４と、エレベーターの制御装置１０４によって制御され、図示しない主ロープ巻上機や制動ブレーキや駆動モーターなどを備えたエレベーターの駆動装置１０５を示しているが、エレベーターの他の公知の構成部分は省略した。
【００２３】
乗場操作装置２の操作面の詳細図を図２に示す。図２に示す様に、乗場操作装置２は、認証装置６と、乗場操作装置による運転操作の解除ボタン７と、エレベータードアの開閉の指示部であるドアを開くボタン８とドアを閉じるボタン９と、行先階登録部となる１〜６階への行先階登録ボタン（数字ボタン）１０と、非常呼びボタン１１と、乗場とかご内との通話機器（マイク兼スピーカー）１２と、エレベーターかごの昇降位置とかご内の状況を確認できる表示装置１３とを備えており、エレベーターの制御装置との間で、情報データや信号のやり取りを行う。なお、通話機器１２と表示装置１３は常時作動させても、ＯＮ／ＯＦＦスイッチを設けても良い。
【００２４】
乗場操作装置２は、乗場の壁に固定された固定装置であっても、携帯できるハンディ端末であっても良い。エレベーター利用者の案内、誘導を乗場で行うためには、ハンディ端末が便利である。ハンディ端末の場合は、無線通信を介してエレベーター制御装置２０と信号の伝送ができるように設備を設置する。また、ハンディ端末の場合は、乗場に設置された乗場呼び登録装置と無線通信を行い、当該乗場呼び登録装置を介してエレベーターの制御装置と信号の伝送を行っても良い。一方、乗場操作装置２が、乗場の壁に固定された固定装置の場合は、必ず乗場に備え付けられているので簡便であるとともに、紛失や行方不明となる心配がない。
【００２５】
以下、図３により、本発明の実施例に係わるエレベーターの乗場操作装置の操作フローの一例を説明する。
【００２６】
ステップ３０１で、エレベーター乗り場にいる操作者１が、乗場操作装置２の認証機器６でＩＤカードや認証キーにて乗場操作装置２を使用可能にする。
【００２７】
ステップ３０２で、乗場操作装置２の操作された階床がエレベーター制御装置により認識され、乗場呼びが登録される。なお、乗場操作装置２には、電源スイッチを設け、電源スイッチの投入後、認証操作を行っても良いし、上記の様に認証機器６に連動して電源が入る構成としても良い。又、認証操作とは別に、乗場呼び登録ボタンを設けて、エレベーターの乗場呼び登録を行っても良い。なお、エレベーターの群管理装置が運転制御を行っている場合は、適切なエレベーターかごが選択され、当該エレベーターかごが呼び出し階に向かって昇降する。
【００２８】
エレベーターかごが乗場呼び登録された階床に向かって昇降し、ステップ３０３で、エレベーターかごが呼び出し階に到着し、ステップ３０４で、利用者３が搭乗後、操作者１は利用者３を移動させたい階を行先階登録ボタン１０で選択して登録する。次に、ステップ３０５で、操作者１が乗場操作装置２のドアの閉じるボタン９を押すと、エレベーターのドアが閉まり、行先階に向かって昇降を開始する。なお、乗場操作装置２において、操作者１が利用者３を移動させたい階を行先階登録ボタン１０で選択し登録しないと、乗場操作装置２のドアの閉じボタンはロックされたままで操作不能な状態にしておくことにより、利用者の閉じ込めを防ぐことができる。
【００２９】
エレベーターが呼び出し階に到着して利用者がエレベーターかごに乗り込み、エレベーターが昇降しているときは、ステップ３０６の様に、エレベーターかご内の監視カメラ４で撮影された映像は運転操作装置の表示装置１３に表示され、操作者１がエレベーターかご内の状況を確認することができ、さらにかご内通話機器５と乗場操作装置２の通話機器１２を使用し、利用者３と操作者１がつねに会話や指示を行うことができるため、安心かつ安全にエレベーターを利用できる。また、乗場操作装置２に小型の内蔵カメラを設け、エレベーターかご内に小型の内蔵カメラの撮影映像を表示できるかご内表示装置が設けられれば、エレベーターかご内の利用者３も操作者１の顔を見ることができ、安心感が増す。
【００３０】
また、エレベーターの運転操作は、乗場操作装置２の操作時には乗場操作装置２の専有として、操作者１が乗場操作装置２で操作することしかできないように、エレベーター制御装置により機能制限を行うことで、利用者３が誤った操作を行うことやいたずらを無くすことができるとともに、他の利用者との乗り合わせの混乱を防ぐことが出来る。
【００３１】
なお、エレベーター利用者が複数いる場合であって、エレベーターかごに利用者が複数階で乗る場合でも、エレベーターかごから利用者が複数階で降りる場合でも、操作者１による乗場操作装置２の行先階登録ボタンを用いたエレベーターの運転操作により、利用者をエレベーターかごに乗車させたり、エレベーターかごから降車させたりができるものとする。
【００３２】
ただし、上述の様に、乗場操作装置２による運転操作中は、乗場での乗場呼び装置やエレベーターかご内の行先階登録装置を使用して、エレベーターへの乗場呼び登録や行先階登録はできないように、エレベーターの制御装置は制限を行う。また他の階からの乗場呼びに対する応答もしない様にも制限を行う。
【００３３】
ステップ３０７で、操作者１が、監視カメラ４で撮影した表示装置１３の画像を見て、かご内の異常を感じた場合、操作者１はすぐに解除ボタン７もしくは非常呼びボタン１１を選択して押すことで対応できるようにする。
【００３４】
例えば、ステップ３０８で、解除ボタン７が押された場合、エレベーターかごは、即時に最寄階に停止して、ドアを開く様にする。なお、当該エレベーターかごは、その後通常モードに戻れば、引き続きエレベーターの運転が可能である。一方、運転を停止したままエレベーターを休止状態とすることにより、停止階での援助を円滑に行うこともできる。
【００３５】
また、ステップ３０９の様に、非常ボタン１１が押された場合、エレベーターの監視センター（もしくは管理人室）につながり、異常の状況を通話する。
【００３６】
ステップ３１０で、エレベーターかごが目的の行先階へ到着すると、自動的にドアが開き、目的階へ到着したことをエレベーターかご内にアナウンスし、エレベーターかご内の利用者にエレベーターかごから降りるよう案内する。
【００３７】
ステップ３１１で、監視カメラ４やセンサなどで利用者が降りたことを感知してドアが閉じ、又は操作者１が閉じるボタン９を押してドアが閉まった時点で、運転操作装置２による運転操作は終了し、上記の機能制限（乗場操作装置２のみによるエレベーターの運転、乗場呼び装置およびエレベーターかご内の行先階登録装置の操作停止、他の階床からの乗場呼びに対する非応答）を解除する。ただし、エレベータードアによるはさまれ防止として、エレベータードア及び乗場ドアにはセンサが付いていることとする。
【００３８】
以上の実施例にて説明した様に、本発明のエレベーターとその乗場操作装置では、専用の乗場操作装置による操作によりエレベーターの運転操作ができる。
【００３９】
すなわち、専用の乗場装置による運転操作により、操作者がエレベーターかごに同乗しなくとも、安全にエレベーター利用者を目的階に移動させることができ、又カメラと表示装置、及び通話装置により、常に対話しながらエレベーター利用者を案内できるので、利用者も安心感を得ることができる。
【００４０】
本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の構成に置き換えることも可能であり、また、実施例の構成に他の構成を加えることも可能である。また、各実施例の構成の一部について、他の構成の追加・削除・置換をすることが可能である。
【００４１】
また、上記の各構成、機能、処理部、処理手段等は、それらの一部又は全部を、例えば集積回路で設計する等によりハードウェアで実現しでもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ(Solid State Drvie)等の記録装置、または、ＩＣカード、ＳＤカード、ＤＶＤ 等の記録媒体に置くことができる。
【００４２】
また、制御線や情報線およびそれらの結合は、説明上必要と考えられるものを示しており、製品上必ずしも全ての制御線や情報線およびそれらの結合を示しているとは限らない。実際には殆ど全てもしくは多くの構成が相互に関係付けられ接続されていると考えてもよい。
【符号の説明】
【００４３】
１  エレベーターの操作者
２  乗場操作装置
３  エレベーターの利用者
４  エレベーターかご内の監視カメラ
５  エレベーターかご内の通話装置
６  運転操作装置の認証装置
７  運転操作装置の解除ボタン
８  運転操作装置のエレベーターかごドアの開くボタン
９  運転操作装置のエレベーターかごドアの閉じるボタン
１０  運転操作装置の行先階登録の数字ボタン
１１  運転操作装置の非常呼びボタン
１２  運転操作装置の通話機器（マイク兼スピーカー）
１３  運転操作装置の表示装置
１０１  エレベーター乗場
１０２  エレベーターの主ロープ
１０３  エレベーターかご
１０４  エレベーター制御装置
１０５  エレベーター駆動装置
【図１】
2014148418.tif 000003
【図２】
2014148418.tif 000004
【図３】
2014148418.tif 000005